(57)【要約】【課題】  製作が容易で、使用する部材が安価で、さらにその螺合部内に隙間すなわちガタが無く螺合する両者を中心軸線すなわち光軸を高精度に一致させることができるねじ結合レンズ鏡筒を提供すること。【解決手段】  螺合部を有するねじ結合レンズ鏡筒であって、螺合部の雌ねじ及び雄ねじの間に弾性合成樹脂テープを配置し、螺合の状態を固定ねじによって固定するねじ結合レンズ鏡筒。螺合部を有するねじ結合レンズ鏡筒であって、螺合部の雌ねじ及び雄ねじの間に弾性合成樹脂テープを配置し、螺合部の雌ねじ及び雄ねじ相互の螺合回動を可能にしたねじ結合レンズ鏡筒。【選択図】      図１
2005156970.tif 000002
【特許請求の範囲】
【請求項１】
螺合部を有するねじ結合レンズ鏡筒であって、螺合部の雌ねじ及び雄ねじの間に弾性合成樹脂テープを配置し、螺合の状態を固定ねじによって固定することを特徴とするねじ結合レンズ鏡筒。
【請求項２】
前記弾性合成樹脂テープが、ポリテトラフルオロエチレンであることを特徴とする請求項１記載のねじ結合レンズ鏡筒。
【請求項３】
前記弾性合成樹脂テープが、片面に接着剤を塗布していることを特徴とする請求項１記載のねじ結合レンズ鏡筒。
【請求項４】
螺合部を有するねじ結合レンズ鏡筒であって、螺合部の雌ねじ及び雄ねじの間に弾性合成樹脂テープを配置し、螺合部の雌ねじ及び雄ねじ相互の螺合回動を可能にしたことを特徴とするねじ結合レンズ鏡筒。
【請求項５】
前記弾性合成樹脂テープが、ポリテトラフルオロエチレンであることを特徴とする請求項３記載のねじ結合レンズ鏡筒。
【請求項６】
前記弾性合成樹脂テープが、片面に接着剤を塗布していることを特徴とする請求項４記載のねじ結合レンズ鏡筒。
【発明の詳細な説明】
【技術分野】
【０００１】
本発明は、ねじ結合レンズ鏡筒、さらに詳しくは、ねじ結合部の螺合が高精度になされガタがなく滑らかに螺合回転を行うことができるねじ結合レンズ鏡筒に関する。
【背景技術】
【０００２】
ねじ部の螺合を高精度に行い、その螺合部内に隙間すなわちガタが無く螺合する両者を中心軸線すなわち光軸を高精度に一致させることができことが要求されている。また、螺合部分が相互に回転可能な場合に、その回転が滑らかであることが要求される。
【０００３】
このような要求を満たすものとして、図３に示すように、ボルト３００のねじ部３０２０の中間部に、その軸線と直交する方向に凹み３０４を設ける。凹み３０４に、テフロン（登録商標）等として知られている合成樹脂製の弾性部材３１０を、ねじ面より少し突出するように設ける。ねじ部３０２に螺合する雌ねじ３２０を設けた基板あるいはナット３２２が、ねじ部３０２に係合される。雌ねじ３２０は、弾性部材を変形させながら螺合を進める。弾性部材３１０は、弾性変形によって螺合作動を滑らかにするとともに、螺合の状態を保持するように作用する。弾性部材３１０の材料は、弾性を有し雌ねじくい込む材質であれば、硬質ゴムでも可能である（例えば、特許文献１参照）。
【０００４】
一方、前記弾性部材を螺合部の内ねじと外ねじの間に弾性材料からなる伸張テープを巻き付ける技術は、水道管工事やガス管工事において管を繋ぐため等に使用されている。この伸張テープは、雄ねじ面に倣って変形かつ伸張させられながら巻き付けられた後、内ねじとの螺合の際さらに変形して雌ねじと雄ねじの間を充填し、ねじ螺合の雄雌ねじを気密的及び液密的に遮断することが目的である。従って、雌ねじと雄ねじは可能な限り深く螺合させることが必須である。
【０００５】
【特許文献１】特開平７−６３２１４号  全体
【発明の開示】
【発明が解決しようとする課題】
【０００６】
特許文献１に記載の技術においては、ボルトのねじ部に弾性部材を埋め込むための孔を設けなければならず、ねじ部のこの加工は極めて困難である。また、弾性部材はねじ部の軸線の一方の側に設けられてそこに弾性部材が埋め込まれるから、弾性部材はナットをボルトの軸線に対し一方の側へ付勢しながら変形するのであり、ボルトとナットの間にガタすなわち隙間があった場合には、そのガタがボルトに対するナットの偏心となることは避けられない。
【０００７】
（目的）
本発明は、従来技術の上述した問題点に鑑みてなされたものであって、製作が容易で、使用する部材が安価で、さらにその螺合部内に隙間すなわちガタが無く螺合する両者を中心軸線すなわち光軸を高精度に一致させることができるねじ結合レンズ鏡筒を提供することを目的とする。
【０００８】
本発明はまた、螺合部分の加工が容易すなわち高精度の加工や処理を行うことがなくとも、ガタがなく滑らかに回転するねじ結合レンズ鏡筒を提供することを目的とする。
【０００９】
本発明はさらに、螺合部分の螺合の程度すなわち雌ねじが雄ねじに螺合する深さ調節しろを均一に大きくすることができるねじ結合レンズ鏡筒、すなわち例えば構成レンズの光軸に沿った移動調整量を高精度を維持したまま大きくすることができるねじ結合レンズ鏡筒を提供することを目的とする。
【課題を解決するための手段】
【００１０】
第１発明は、螺合部を有するねじ結合レンズ鏡筒であって、螺合部の雌ねじ及び雄ねじの間に弾性合成樹脂テープを配置し、螺合の状態を固定ねじによって固定することを特徴とするねじ結合レンズ鏡筒である。
【００１１】
第２発明は、螺合部を有するねじ結合レンズ鏡筒であって、螺合部の雌ねじ及び雄ねじの間に弾性合成樹脂テープを配置し、螺合部の雌ねじ及び雄ねじ相互の螺合回動を可能にしたことを特徴とするねじ結合レンズ鏡筒である。
【００１２】
本発明の実施形態は、以下のとおりである。
前記弾性合成樹脂テープが、ポリテトラフルオロエチレンであることを特徴とする。
前記弾性合成樹脂テープが、片面に接着剤を塗布していることを特徴とする。
【発明の効果】
【００１３】
本発明のねじ結合レンズ鏡筒は、製作が容易で、使用する部材が安価で、さらにその螺合部内に隙間すなわちガタが無く螺合する両者を中心軸線すなわち光軸を高精度に一致させることができる効果を有する。
本発明のねじ結合レンズ鏡筒は、螺合部分の加工が容易すなわち高精度の加工や処理を行うことがなくとも、ガタがなく滑らかに回転する効果を有する。
ことができる効果を得ることができる。
【００１４】
以下に発明を実施するための最良の形態について説明する。
（第１実施態様）
第１実施態様のねじ結合レンズ鏡筒１０は、図１に示すように、プロジェクタレンズ用のものであって、Ｇ１ないしＧ３からなる第１レンズ群ＧＩ，Ｇ４からなる第２レンズ群ＧＩＩ，Ｇ５ないしＧ１１からなる第３レンズ群ＧＩＩＩを保持している。
【００１５】
ねじ結合レンズ鏡筒１０は、すべてのレンズＧ１ないしＧ１１を保持する第１レンズ保持枠１２と、レンズマウント１４を有する。
ねじ結合レンズ鏡筒１０の“合焦調整部”は、合焦調整を、すべてのレンズＧ１ないしＧ１１を保持する第１レンズ保持枠１２をレンズマウント１４に対して光軸Ｏに沿って移動させることによって行う。
【００１６】
レンズマウント１４に回転可能に支持された合焦調整環１６は、第１雌ねじ２０を有する。第１レンズ保持枠１２は、第１雌ねじ２０に螺合する第１雄ねじ２２を有する。第１レンズ保持枠１２は、第１固定ねじ２４によってレンズマウント１４に固定される。レンズマウント１４は、光軸Ｏと平行な第１直進溝３０を有する。第１レンズ保持枠１２に植設された第１コマ３２は、第１直進溝３０を貫通して、合焦調整環１６の内面に設けた第１内径円周溝３４に係合している。
【００１７】
ねじ結合レンズ鏡筒１０の合焦調整部の組み立ては、第１雄ねじ２２に、例えば厚さ０．１ｍｍのポリテトラフルオロエチレンテープ４０を巻き付ける。ポリテトラフルオロエチレンテープ４０は、片面に接着剤を塗布したものでもよい。ポリテトラフルオロエチレンテープ４０は、摩擦抵抗が小さく伸張性がある他の材質でもよい。
【００１８】
ポリテトラフルオロエチレンテープ４０を巻き付けた第１雄ねじ２２に、第１雌ねじ２０を螺合させ、合焦調整環１６を回動させて螺合の量を変える。これによって合焦調整環１６が光軸Ｏに沿って移動し、第１内径円周溝３４に係合した第１コマ３２を介してレンズＧ１ないしＧ１１を保持する第１レンズ保持枠１２の位置が調整されて、合焦調整が行われる。所定の合焦状態が達成されると、第１固定ねじ２４を締付けて、合焦状態を固定する。
【００１９】
ねじ結合レンズ鏡筒１０の“倍率調整部”は、倍率調整を、レンズＧ４を保持する第２レンズ保持枠１１２を第１レンズ保持枠１２に対して光軸Ｏに沿って移動させることによって行う。
【００２０】
第１レンズ保持枠１２に回転可能に支持された倍率調整環１１６は、第２雌ねじ１２０を有する。第２レンズ保持枠１１２は、第２雌ねじ１２０に螺合する第１雄ねじ１２２を有する。第２レンズ保持枠１１２は、第２固定ねじ１２４によって第１レンズ保持枠１２に固定される。第１レンズ保持枠１２は、光軸Ｏと平行な第２直進溝１３０を有する。第２レンズ保持枠１１２に植設された第２コマ１３２は、第２直進溝１３０を貫通して、倍率調整環１１６の内面に設けた第２内径円周溝１３４に係合している。
【００２１】
ねじ結合レンズ鏡筒１０の倍率調整部の組み立ては、第２雄ねじ１２２に、厚さ０．１ｍｍのポリテトラフルオロエチレンテープ４０を巻き付ける。
【００２２】
ポリテトラフルオロエチレンテープ４０を巻き付けた第２雄ねじ１２２に、第２雌ねじ１２０を螺合させ、倍率調整環１１６を回動させて螺合の量を変える。これによって倍率調整環１１６が光軸Ｏに沿って移動し、第２内径円周溝１３４に係合した第２コマ１３２を介してレンズＧ４を保持する第２レンズ保持枠１１２の位置が調整されて、倍率調整が行われる。所定の倍率状態が達成されると、第２固定ねじ１２４を締付けて、倍率状態を固定する。
【００２３】
（第２実施態様）
第２実施態様のねじ結合レンズ鏡筒２１０は、図２に示すように、プロジェクタレンズ用のものであって、Ｇ１ないしＧ４からなる第１レンズ群ＧＩ，Ｇ４ないしＧ７からなる第２レンズ群ＧＩＩ，Ｇ６及びＧ７からなる第３レンズ群ＧＩＩＩ、及びＧ１０ないしＧ１３からなる第４レンズ群ＧＩＶを保持している。
【００２４】
ねじ結合レンズ鏡筒２１０の“合焦部”は、合焦操作すなわちフォーカシングを、第１レンズ群Ｇ１を保持する第３レンズ保持枠２１２をレンズマウント１４に対して光軸Ｏに沿って移動させることによって行う。
【００２５】
レンズマウント１４に回転可能に支持された合焦環２１６は、第３レンズ保持枠２１２に固着され、雄ねじすなわち雄ヘリコイド２２２を有する。レンズマウント１４は、雄ヘリコイド２２２に螺合する雌ヘリコイド２２０を有する。
【００２６】
ねじ結合レンズ鏡筒２１０の合焦部の組み立ては、雄ヘリコイドイ２２２に、厚さ０．１ｍｍのポリテトラフルオロエチレンテープ４０を巻き付ける。
ポリテトラフルオロエチレンテープ４０を巻き付けた雄ヘリコイド２２２に、雌ヘリコイド２２０を螺合させる。
【産業上の利用可能性】
【００２７】
上述した実施態様においては、合焦調整部、倍率調整部、フォーカシング操作部のねじ係合及びヘリコイド係合に関するものであったが、ズーム操作部、フィルター回転操作部等についても有効に実施てきる。
【図面の簡単な説明】
【００２８】
【図１】本発明の第１実施態様のねじ結合レンズ鏡筒の断面図である。
【図２】本発明の第２実施態様のねじ結合レンズ鏡筒の断面図である。
【図３】従来の調整用ねじの断面図である。
【符号の説明】
【００２９】
Ｏ            光軸
１０          ねじ結合レンズ鏡筒
１２          第１レンズ保持枠
１４          レンズマウント
１６          合焦調整環
２０          第１雌ねじ
２２          第１雄ねじ
２４          第１固定ねじ
３０          第１直進溝
３２          第１コマ
３４          第１内径円周溝
４０          ポリテトラフルオロエチレンテープ
１１０        ねじ結合レンズ鏡筒
１１２        第２レンズ保持枠
１１６        倍率調整環
１２０        第２雌ねじ
１２２        第２雄ねじ
１２４        第２固定ねじ
１３０        第２直進溝
１３２        第２コマ
１３４        第２内径円周溝
２１６        合焦環
【図１】
2005156970.tif 000003
【図２】
2005156970.tif 000004
【図３】
2005156970.tif 000005